(57)【要約】      （修正有） 【課題】編地密度及び孔設計を有する組織模様に従って、目移し装置及び複数の選針アクチュエータを備える丸編機で織り上げられた通気丸編物を提供する。【解決手段】複数の編み部１０と、複数の孔部２０とを備える。複数の編み部１０は、複数の選針アクチュエータで編地密度に従って複数の糸５を順次にねじさせて複数の糸ループ１５を形成してなる。複数の孔部２０は、目移し装置で孔設計に従って移し及び／又は目移しによって上下に隣接する複数の糸ループ１５を掛けて、クロス織で織られる。【選択図】図１
0003201984.tif 000002
【実用新案登録請求の範囲】
【請求項１】
編地密度及び孔設計を有する組織模様に従って、目移し装置及び複数の選針アクチュエータを備える丸編機で織り上げられた通気丸編物であって、
前記編地密度に従って複数の糸を順次にねじさせて複数の糸ループを形成してなる複数の編み部と、
前記孔設計に従って上下に隣接する前記複数の糸ループを掛けて、クロス織で織られる複数の孔部と、
を備えることを特徴とする、通気丸編物。
【請求項２】
前記目移し装置は、交差に取り囲むように上針床の前記複数の糸ループを下針床に目移し、或いは下針床の前記複数の糸ループを上針床に目移しを行うことにより、前記複数の孔部の孔縁の強度を向上させることを特徴とする、請求項１に記載の通気丸編物。
【請求項３】
前記複数の選針アクチュエータは、ステッチカム、タックカム、ウェルトカム又はその組み合わせであることを特徴とする、請求項１に記載の通気丸編物。
【請求項４】
前記孔設計は、孔位置、孔サイズ、孔配列又はその組み合わせであることを特徴とする、請求項１に記載の通気丸編物。
【請求項５】
前記組織模様は、前記通気丸編物の外観を向上させるためのジャカード柄をさらに含むことを特徴とする、請求項１に記載の通気丸編物。
【請求項６】
前記複数の糸の素材は、天然繊維、天然合成繊維又は合成繊維であることを特徴とする、請求項１に記載の通気丸編物。
【請求項７】
前記複数の糸の種類は、モノフィラメント糸、弾性繊維糸、撚糸又はその組み合わせであることを特徴とする、請求項１に記載の通気丸編物。
【請求項８】
前記複数の糸の種類は、異融点同質熱融着糸であることを特徴とする、請求項１に記載の通気丸編物。
【請求項９】
前記異融点同質熱融着糸の外部構造の融点が１３０〜２２０℃であり、内部構造の融点が１５０〜２６０℃であることを特徴とする、請求項８に記載の通気丸編物。
【考案の詳細な説明】
【技術分野】
【０００１】
本考案は、通気円編み物に係り、特に、丸編機と目移し装置のコンビネーションを用いて織り上げられた複数の孔部を有する通気円編み物を提供するものである。
【背景技術】
【０００２】
健康、エコ、ファッションを求める現在の人々は、服の素材の快適性及びデザインに対する要求が日々高まっている。しかし、現在の服では、通気性が悪く、縫い目の擦れなどの問題がよく見られている。通気性の問題に対して、経編みで作成された網目孔構造によって通気効果を発揮することができるが、経編物は平編みしか編成されないため、縫い目の擦れの問題が依然として解決できない。また、緯編みの中の丸編み技術は、シームレスの技術によって縫い目の問題が解決できるが、大きいサイズの網目孔が編成できないため、通気性がよくないことになる。
【０００３】
また、消費者には、カスタマイズに対する需要が大幅に高まっているので、伝統的な大量生産方式で生産された織物は、差別化が十分ではないため、価値を向上させることができない。よって、生産者は、値段を下げるなどの対策で出荷量を向上させて、損益を改善することしかできない。
【０００４】
以上によって、本考案の考案者は、上述した従来の課題を解決し、産業上の利用を促進するために、業界での長年の経験に基づいて、鋭意研究を行った末、通気円編み物を創出した。
【考案の概要】
【０００５】
上記従来の問題点に鑑みて、本考案は、通気円編み物を提供を目的とし、シームレスできる丸編機と目移し装置のコンビネーションを用いて織り上げられた大きいサイズの孔構造を有することで、通気性に優れる。
【０００６】
また、本考案は、通気円編み物を提供を目的とし、目移し装置で糸を交差に取り囲むように複数の孔部の孔縁の強度を向上させることで、円編み物が糸ほつれしやすい問題を防止することができる。
【０００７】
本考案は、通気円編み物をさらに提供を目的とし、丸編機は、少量生産でき、且つ経編みより多い種類の糸を給糸できることで、様々な織物の見本を試作することができる。
【０００８】
上述した目的により、本考案は、編地密度及び孔設計を有する組織模様に従って、目移し装置及び複数の選針アクチュエータを備える丸編機で織り上げられた通気丸編物を提供を目的とする。通気丸編物は、複数の編み部と、複数の孔部とを備える。複数の編み部は、編地密度に従って複数の糸を順次にねじさせて複数の糸ループを形成してなる。複数の孔部は、孔設計に従って上下に隣接する複数の糸ループを掛けて、クロス織で織られる。
【０００９】
より好ましくは、目移し装置は、交差に取り囲むように上針床の複数の糸ループを下針床に目移し、或いは下針床の複数の糸ループを上針床に目移しを行うことにより、複数の孔部の孔縁の強度を向上させる。
【００１０】
より好ましくは、複数の選針アクチュエータは、ステッチカム、タックカム、ウェルトカム又はその組み合わせである。
【００１１】
より好ましくは、孔設計は、孔位置、孔サイズ、孔配列又はその組み合わせである。
【００１２】
より好ましくは、組織模様は、通気丸編物の外観を向上させるためのジャカード柄をさらに含む。
【００１３】
より好ましくは、複数の糸の素材は、天然繊維、天然合成繊維又は合成繊維である。
【００１４】
より好ましくは、複数の糸の種類は、モノフィラメント糸、弾性繊維糸、撚糸又はその組み合わせである。
【００１５】
より好ましくは、複数の糸の種類は、異融点同質熱融着糸（ｄｉｆｆｅｒｅｎｔｉａｌ  ｍｅｌｔ  ｐｏｉｎｔ  ｆｉｌａｍｅｎｔ）である。
【００１６】
より好ましくは、異融点同質熱融着糸の外部構造の融点が１３０〜２２０℃であり、内部構造の融点が１５０〜２６０℃である。
【考案の効果】
【００１７】
本考案は、通気円編み物を提供し、その通気円編み物は、以下に示す複数の長所を有する。
【００１８】
（１）技術バリアを克服：公知技術においては、網目などの孔構造に対して、経編みで編まれたことしかできないが、本考案の考案者等は、目移し装置を設置して、当該目移し装置を利用して交差に取り囲むように上（下）針床の複数の糸ループを下（上）針床に目移しを行うことにより、複数の孔部の孔縁の強度を向上させることで、丸編みを利用するだけて網目孔構造と類似した構造を有する通気織物を織り上げられたことができる。
【００１９】
（２）商品価値の向上：カスタマイズの需要を応じるように、丸編機は様々な素材を選択でき、且つ少量生産できることで、商品価値を向上させ、生産者の利益を増やことができる。
【００２０】
上述した目的、技術的特徴および実際に実施した効果についてより理解しやすくするために、添付の図面を参照しながら、以下の好ましい実施例をもって詳細に説明する。
【図面の簡単な説明】
【００２１】
【図１】図１は、本考案に係る通気円編み物の概略図である。
【図２】図２は、本考案に係る通気円編み物の実施例を示す概略図である。
【考案を実施するための形態】
【００２２】
本考案をより完全に理解するために、本考案の技術特徴、内容と長所及びそれが達成できる作用効果については、添付図面を参照して、実施例の表現形式で以下のように詳細に説明される。しかし、図示された図面は、単に例示または明細書内容を補助する目的としたものであって、本考案の実施後の原寸に比例したものや精確に配置したものには何ら拘束されない。よって、図示された図面は、添付図面の比例と配置関係で解釈されてはならず、本考案を実際に実施する権利範囲に制限することを意図したものではないことについて先に説明しておきたい。
【００２３】
本考案の長所、特徴及び達成するための技術方法を理解するために、例示的な実施例及び図面を参照して詳細に説明する。なお、本考案は異なる形態で具現されることができ、ここに記載される実施例に限定するように解釈されるべきではない。むしろ、提供された実施例は、本開示が完全なものとなるように、また当業者に本考案の範囲を完全に伝えるために提供されるものである。よって、本考案は、添付の実用新案登録請求の範囲によって定義されるものである。
【００２４】
図１は本考案に係る通気円編み物の概略図である。図１に示すように、通気丸編物１００は、編地密度及び孔設計を有する組織模様に従って、目移し装置及び複数の選針アクチュエータを備える丸編機で織り上げられた。組織模様は、実際の需要に応じて設計されたものである。また、組織模様は、通気丸編物１００の外観を向上させるためのジャカード柄をさらに含むことができる。
【００２５】
通気丸編物１００は、複数の編み部１０と、複数の孔部２０とから構成される。複数の編み部１０は、編地密度に従って配置されたステッチカム、タックカム、ウェルトカムなどの異なる織りの複数の選針アクチュエータで複数の糸５を順次にねじさせて複数の糸ループ１５を形成してなる。
【００２６】
また、孔設計に従って目移し装置で上下に隣接する複数の糸ループ１５を左右又は上下の緯糸の間に移して編まれ、或いは前後の緯糸の間に目移しして編まれることにより、複数の糸５を掛けて、クロス織で複数の孔部２０を織り上げる。
【００２７】
孔設計は、使用者により設計された組織模様に従って単一孔の位置、サイズ、及び複数の孔の間の配列を定義することができる。目移し装置は、交差に取り囲むように上（下）針床の複数の糸ループ１５を上（下）針床に目移しを行うことにより、複数の孔部２０の孔縁の強度を向上させることで、凹凸感、立体感を有する、網目孔構造と類似した通気円編み物１００を織り上げる。
【００２８】
複数の糸５の素材は、天然繊維、天然合成繊維又は合成繊維から選択されることができる。天然繊維は、羊毛、ラクダ毛、ウサギ毛、絹糸などの動物繊維を含み、或いは綿、麻、サイザル麻などの植物繊維を含むが、天然合成繊維又は合成繊維であれば制限されないので、ここでの説明を省略する。
【００２９】
さらに、所望の機能に応じて様々な工程で作られた糸の種類から選択することができる。例えば、織物の強度を向上させるようにモノフィラメント糸を選択することができ、織物に適切な弾性及び収縮性を備えるように弾性繊維糸を選択することができ、糸の選択に自由度がある撚糸を選択することもできる。
【００３０】
さらに、糸の種類は、異融点同質熱融着糸であってもよい。異融点同質熱融着糸の内部と外部構造の融点が異なることにより、それぞれの機能を発揮することができる。その中、低い融点範囲（１３０〜２２０℃）を有する外部構造は、糸編みの加工性を向上させる他、糸の染色堅ろう度をさらに向上させることができる。高い融点範囲（１５０〜２６０℃）を有する内部構造は、織物の強度を提供することにより、織物の全体の構造強度を維持することができる。
【００３１】
近い物性を持つように同じ素材の糸を使用することによって、編み工程での工程パラメータ制御の複雑度を減らすことができる。さらに、同じ素材の糸を使用することにより、余り生地のリサイクルも容易となり、再生利用率を向上させて、コストダウンできることで、エコと省エネルギーの目的も達成することができる。
【００３２】
図２は本考案に係る通気円編み物の実施例を示す概略図である。通気円編み物１００は、適切な用途に応じて生地、衣料品、アッパーなどの織物を製造することができる。図２に示すように、本実施例では、衣料品としての例が挙げられているが、これに限定されない。緯編みで円編み物は、かなりの弾性を有することで、衣料品、ソックス、帽子などの衣類製品に適する。
【００３３】
さらに、縫い目の問題を解決するように、丸編機を用いて本考案に係る通気円編み物１００で服をシームレスに織り上げることができる。また、組織模様においては、ブランドロゴ、パターン等のジャカード柄を付けて、編み工程で服に表すことで、個人的なスタイルを表現することができる。また、目移し装置を用いて糸５を交差に取り囲むことにより、複数の孔部２０の孔縁の強度を向上させることで、円編み物が糸ほつれしやすい問題を有効的に防止する他、通気効果を発揮することができる。
【００３４】
上述した実施例は、単に本考案の技術的思想及び趣旨を、当業者に理解して実施できるように説明することを目的とするものであって、本考案の範囲を限定するためのものではない。即ち、本考案と同等な範囲内のすべての変更及び修正は、いずれも添付の実用新案登録請求の範囲で扱うものとする。
【符号の説明】
【００３５】
１００：通気円編み物
５：糸
１０：編み部
１５：糸ループ
２０：孔部
【図１】
0003201984.tif 000003
【図２】
0003201984.tif 000004